(57)【要約】【課題】ユーザに応じて記録媒体に対するデータのアクセス等を制限できるようにしたディスク装置を提供する。【解決手段】ユーザはホストコンピュータ１００にパスワードを入力して、このパスワードをパスワード認証部２０に転送させる。次に、パスワード認証部２０によりパスワードが認証パスワード記憶部１０に記憶された認証パスワード１１〜１３のうちのいずれの情報と一致するか否かを確認し、一致した場合はパスワード認証部２０から認証信号を動作モード制御部３０に入力する。そして、動作モード制御部３０からの動作モード信号がコントローラ５０に入力されることにより、コントローラ５０は、動作モード信号に対応した動作モードの実行を制御する。【選択図】図１
2007184044.tif 000002
【特許請求の範囲】
【請求項１】
ディスク状の記録媒体と、
該記録媒体に対して情報を読み書きするヘッドアセンブリと、
前記ヘッドアッセンブリが前記記録媒体に対して行う読み出し、書き込みの動作モードを制御する制御デバイスと、
前記動作モードに対応して与えられた認証情報が記憶された認証記憶部と、
を含み、
前記制御デバイスは、前記認証記憶部から前記認証情報を読み出し、前記認証情報がインターフェイスを介して入力される入力情報と所定の方法で照合し一致するか否かを確認する認証部と、
前記認証情報と前記入力情報とが一致したときに該認証部から入力される認証信号に対応した動作モード信号を出力する動作モード制御部と、
該動作モード制御部から入力される動作モード信号に対応した動作モードの実行を制御するコントローラと、
を備えることを特徴とするディスク装置。
【請求項２】
前記動作モードは、再生専用動作モード、記録専用動作モードおよび記録再生動作モードからなることを特徴とする請求項１に記載のディスク装置。
【請求項３】
前記認証記憶部はフラッシュメモリであることを特徴とする請求項１または２に記載のディスク装置。
【請求項４】
前記認証記憶部は前記記録媒体であることを特徴とする請求項１または２に記載のディスク装置。
【請求項５】
前記認証記憶部に記憶された認証情報は変更可能であり、
前記認証部は、前記認証記憶部に記憶された認証情報が変更された場合に、インターフェイスを介して入力される入力情報と変更された認証情報とに基づいて所定の方法で照合し、
前記コントローラは、前記認証記憶部に記憶された認証情報が変更された場合に、変更された認証情報に基づいた照合結果により動作モードの実行を制御することを特徴とする請求項１または２に記載のディスク装置。
【請求項６】
前記認証部は、所定の動作モードの実行中にインターフェイスを介して新たに入力される入力情報と前記認証記憶部に記憶された認証情報とを所定の方法で照合し、
前記動作モード制御部は、前記認証情報と前記入力情報とが一致したときに該認証部から入力される認証信号に対応した新たな動作モード信号を出力し、
前記コントローラは、該動作モード制御部から入力される新たな動作モード信号に対応した動作モードの実行を制御することを特徴とする請求項１または２に記載のディスク装置。
【請求項７】
請求項１乃至請求項６に記載のディスク装置に於いて、
前記記録媒体が磁気ディスクであることを特徴とする磁気ディスク装置。
【請求項８】
情報の記録及び読み出しが可能な情報記録媒体と、
前記情報記録媒体に対して行う読み出し、書き込みの動作モードを制御する制御デバイスと、
前記動作モードに対応して与えられた認証情報が記憶された認証記憶部と、
を含み、
前記制御デバイスは、前記認証記憶部から前記認証情報を読み出し、前記認証情報がインターフェイスを介して入力される入力情報と所定の方法で照合し一致するか否かを確認する認証部と、
前記認証情報と前記入力情報とが一致したときに該認証部から入力される認証信号に対応した動作モード信号を出力する動作モード制御部と、
該動作モード制御部から入力される動作モード信号に対応した動作モードの実行を制御するコントローラと、
を備えることを特徴とする情報記憶装置。
【請求項９】
前記動作モードは、再生専用動作モード、記録専用動作モード及び記録再生動作モードからなることを特徴とする請求項８に記載の情報記憶装置。
【発明の詳細な説明】
【技術分野】
【０００１】
本発明は、ハードディスクドライブ装置等のディスク装置、磁気ディスク装置及び情報記憶装置に関する。
【背景技術】
【０００２】
ハードディスクドライブ装置等のディスク装置は、幅広い分野で使用されている。なかでも近年、ハードディスクドライブ装置はパーソナルコンピュータを始めとする様々な情報処理システムで利用されている。このようなハードディスクドライブ装置には、ユーザが映画、音楽等のコンテンツを記録（録画、録音等）することができ、また、ハードディスクドライブ装置に予め記録されたコンテンツをユーザが再生できるようになっている。
【発明の開示】
【発明が解決しようとする課題】
【０００３】
ところで、ハードディスクドライブ装置にコンテンツを記録して、レンタル店でハードディスクドライブ装置を貸し出すような場合において、貸し手側では、借り手側がハードディスクドライブ装置に他のコンテンツを記録したり、予めハードディスクドライブ装置に記録された前記コンテンツを消去したりするような不正行為を防止したいという要望がある。また、借り手以外の第三者がハードディスクドライブ装置に勝手にアクセスするのを防止したいという要望もある。
【０００４】
また、情報処理システムへの不正アクセスによりハードディスクドライブ装置から機密情報が漏洩した場合等において、不正アクセスの価値を法的に明らかにするために、アクセスログ等の記録が改ざんされる虞れを防止したいという要望もある。
【０００５】
さらに、例えば防犯ビデオの映像をハードディスクドライブ装置に記録するようなシステムの場合、個人情報保護の観点から映像（記録データ）にアクセスできるユーザを制限したいという要望もある。
【０００６】
しかし、前述した従来技術では、ハードディスクドライブ装置へのコンテンツの記録、再生または記録再生等の複数の動作モードが自由に行えるため、このような要望を実現することができないという問題がある。
【０００７】
本発明はこのような問題に鑑みてなされたものであり、ユーザに応じて記録媒体に対するデータへのアクセス等を制限できるようにしたディスク装置、磁気ディスク装置及び情報記憶装置を提供することを目的とする。
【課題を解決するための手段】
【０００８】
前記従来技術の問題点を解決するための本発明は、ディスク装置等の情報記憶装置であって、記録媒体と、前記記録媒体に対して行う読み出し、書き込みの動作モードを制御する制御デバイスと、前記動作モードに対応して与えられた認証情報が記憶された認証記憶部と、を含み、前記制御デバイスは、前記認証記憶部から前記認証情報を読み出し、前記認証情報がインターフェイスを介して入力される入力情報と所定の方法で照合し一致するか否かを確認する認証部と、前記認証情報と前記入力情報とが一致したときに該認証部から入力される認証信号に対応した動作モード信号を出力する動作モード制御部と、該動作モード制御部から入力される動作モード信号に対応した動作モードの実行を制御するコントローラと、を備えることを特徴としている。
【０００９】
このように構成したことにより、ユーザが入力情報を入力すると、制御デバイスの認証部は認証記憶部に記憶された認証情報と入力情報とが所定の方法で照合され一致するか否かを判別する。そして、一致した場合は、認証部から動作モード信号が制御デバイスの動作モード制御部に入力される。この結果、制御デバイスのコントローラは動作モード制御部から入力された動作モード信号に対応した動作モードの実行を制御するようになる。従って、ユーザに応じてディスク装置の動作モードに対するアクセスを制限することができる。
【発明を実施するための最良の形態】
【００１０】
本発明のディスク装置をハードディスクドライブ装置に適用した場合を例に挙げ、図１ないし図１２の添付図面を参照しながら詳細に説明する。まず、第１の実施の形態に係るハードディスクドライブ装置ついて、図１および図２を参照して詳細に説明する。
【００１１】
本実施の形態に係るハードディスクドライブ装置１は、図１に示すように、記録媒体である磁気ディスク２、ヘッドアセンブリ３、制御デバイス４および認証記憶部である認証パスワード記憶部１０を含んで構成される。また、制御デバイス４は、認証部であるパスワード認証部２０、動作モード制御部３０およびコントローラ５０を含んで構成され、ヘッドアッセンブリ３が磁気ディスク２に対して行う読み出し、書き込みの動作モード（再生専用動作モード、記録専用動作モード、記録再生動作モード）を制御するものである。
【００１２】
認証パスワード記憶部１０は、例えばフラッシュメモリからなり、このフラッシュメモリには、再生専用動作モードに対応して与えられた再生専用認証パスワード１１、記録専用動作モードに対応して与えられた記録専用認証パスワード１２および記録再生動作モードに対応して与えられた記録再生認証パスワード１３がそれぞれ記憶されている。なお、再生専用認証パスワード１１、記録専用認証パスワード１２、記録再生認証パスワード１３（以下、まとめて認証パスワード１１〜１３という）は、特許請求の範囲にいう認証情報である。認証パスワード記憶部１０に認証パスワード１１〜１３を記憶させるためには、認証パスワード設定用コマンド等を準備し、該コマンドを実行することで可能である。また、認証パスワード記憶部１０や制御デバイス４は、認証パスワードの不正なアクセスや改ざんを防止するために、耐タンパな構成とするのが望ましい。
【００１３】
パスワード認証部２０は、認証パスワード記憶部１０から認証パスワード１１〜１３を読み出し、各認証パスワード１１〜１３のいずれか一つとホストコンピュータ１００からインターフェイス４０および動作モード制御部３０を経由して入力される入力情報であるパスワードとが一致するか否かを確認するものである。
【００１４】
動作モード制御部３０は、再生専用認証パスワード１１、記録専用認証パスワード１２または記録再生認証パスワード１３とパスワードとが一致したときにパスワード認証部２０から入力される認証信号に対応した動作モード信号（再生専用動作モード信号、記録専用動作モード信号、記録再生動作モード信号）を出力するものである。
【００１５】
コントローラ５０は、ハードディスクコントローラおよびマイクロコンピュータからなり、動作モード制御部３０から入力される動作モード信号に対応した各動作モード（再生専用動作モード、記録専用動作モード、記録再生動作モード）の実行等を制御するものである。
【００１６】
また、ハードディスクドライブ装置１は、リードライト回路６０、リードライトアンプ７０、ボイスコイルモータ８０、ドライバ回路９０等を含んで構成される。
【００１７】
リードライト回路６０は、動作モード制御部３０からコントローラ５０を介して入力される動作モード信号に基づいて、磁気ディスク２からヘッドアッセンブリ３の磁気ヘッドで読み出された読み出しデータをリードライトアンプ７０で増幅して読み出したり、コントローラ５０から入力される書き込みデータをリードライトアンプ７０で増幅して磁気ヘッドから磁気ディスク２に書き込んだりするものである。
【００１８】
ドライバ回路９０は、コントローラ５０から入力される駆動信号に基づいてボイスコイルモータ８０の駆動を制御して磁気ヘッドが取り付けられるヘッドアッセンブリ３のシーク動作を制御したり、スピンドルモータ１２０の駆動を制御するものである。
【００１９】
次に、本実施の形態のハードディスクドライブ装置１の動作について、具体的に説明する。
【００２０】
まず、ハードディスクドライブ装置１の電源をオンまたはリセットする場合には、図２に示すフローチャートのような動作が行われる。
【００２１】
即ち、電源をオンまたはリセットすると、ステップＳ１においてコントローラ５０は認証パスワード記憶部１０に認証パスワード１１〜１３が設定されているか否かを判別する。認証パスワード１１〜１３が設定されている場合（ＹＥＳ）にはステップＳ２に移り、パスワード認証部２０はホストコンピュータ１００からのパスワード入力待ちとなり、ステップＳ３に移る。認証パスワード１１〜１３が設定されていない場合（ＮＯ）はステップＳ９に移り、ハードディスクドライブ装置１の記録再生動作モードの設定が行なわれ、当該動作モードで動作すると共に認証処理が終了する。
【００２２】
次に、ステップＳ３において、パスワード認証部２０にパスワードが入力されると、ステップＳ４に移り、パスワード認証部２０によりパスワードが認証パスワード記憶部１０の再生専用認証パスワード１１と一致しているか否かを判別する。
【００２３】
パスワードが再生専用認証パスワードと一致している場合（ＹＥＳ）は、動作モード制御部３０からの再生専用動作モード信号がコントローラ５０に入力され、ステップＳ７において、ハードディスクドライブ装置１に再生専用動作モードの設定が行われ、当該モードで動作すると共に認証処理が終了する。パスワードが再生専用認証パスワードと一致していない場合（ＮＯ）は、ステップＳ５に移り、パスワード認証部２０によりパスワードが認証パスワード記憶部１０の記録専用認証パスワード１２と一致しているか否かを判別する。
【００２４】
ステップＳ５において、パスワードが記録専用認証パスワード１２と一致している場合（ＹＥＳ）は、動作モード制御部３０からの記録専用動作モード信号がコントローラ５０に入力され、ステップＳ８においてハードディスクドライブ装置１に記録専用動作モードの設定が実行され、当該モードで動作すると共に認証処理が終了する。パスワードが記録専用認証パスワード１２と一致していない場合（ＮＯ）は、ステップＳ６に移り、パスワード認証部２０によりパスワードが認証パスワード記憶部１０の記録再生認証パスワード１３と一致しているか否かを判別する。
【００２５】
ステップＳ６において、パスワードが記録再生認証パスワード１３と一致している場合（ＹＥＳ）は、動作モード制御部３０からの記録再生動作モード信号がコントローラ５０に入力され、ステップＳ９においてハードディスクドライブ装置１の記録再生動作モードの設定が行なわれ、当該モードで動作すると共に認証処理が終了する。パスワードが記録再生認証パスワード１３と一致していない場合（ＮＯ）は、ステップＳ１０に移り、コントローラ５０はパスワードの確認が所定回数（例えば３回）失敗したか否かを判別する。パスワードの確認が所定回数失敗した場合（ＹＥＳ）は、動作モード制御部３０からの動作ロック信号がコントローラ５０に入力され、ハードディスクドライブ装置１の動作をロック状態に保持する。パスワードの確認が所定回数失敗していない場合（ＮＯ）は、ステップＳ２に戻ってパスワードの入力待ちとなり、ステップＳ２以降の処理を繰り返す。
【００２６】
以上、詳述したように、本実施の形態に係るハードディスクドライブ装置１によれば、認証パスワード記憶部１０をハードディスクドライブ装置１に内蔵し、この認証パスワード記憶部１０に認証パスワード１１〜１３をそれぞれ記憶させる構成としている。
【００２７】
このため、例えばハードディスクドライブ装置１をレンタル店で貸し出すような場合でも、借り手側となるユーザに対して再生専用のパスワードのみを付与することにより、ユーザはハードディスクドライブ装置１の複数の動作モードのうち、再生専用動作モードの実行のみしかできなくなる。
【００２８】
これにより、ハードディスクドライブ装置１に記録されたコンテンツを消去したり、新しく別のコンテンツを記録したりするような不正行為を防止できると共に、借り手以外の第三者が磁気記録ディスク１に記録されたデータにアクセスするのを防止することができる。また、ハードディスクドライブ装置１およびホストコンピュータ１００からなる情報処理システムへの不正アクセスを防止することができ、アクセスログ等の記録が改ざんされる虞れを防止することができる。さらに、例えば防犯ビデオの映像をハードディスクドライブ装置１に記録するようなシステムの場合において、個人情報保護の観点から映像にアクセスできるユーザを制限することができる。
【００２９】
従って、本実施の形態によれば、ユーザに応じてハードディスクドライブ装置１の複数の動作モード（再生専用動作モード、記録専用動作モード、記録再生動作モード）の実行をユーザに与えられたパスワードによって制限することができ、ハードディスクドライブ装置１の信頼性等を高めることができる。
【００３０】
次に、図３及び図４は本発明の第２の実施の形態を示している。なお、本実施の形態では、前記第１の実施の形態と同一のステップには同一の符号を付し、その説明を省略するものとする。
【００３１】
本実施の形態では、ハードディスクドライブ装置１の電源をオンまたはリセットした場合には、図３及び図４に示すフローチャートのような動作が行われる。
【００３２】
即ち、ステップＳ１〜Ｓ４までの認証処理を行ない、ステップＳ４においてパスワードが再生専用認証パスワードと一致した場合には、ステップＳ７に移る。そして、ステップＳ７でハードディスクドライブ装置１に再生専用動作モードの設定が行なわれると、当該動作モードの実行中にステップＳ１１に移り、コントローラ５０は認証パスワード変更の有無を判別する。ここで変更される認証パスワードは、再生専用認証パスワード１１、記録専用認証パスワード１２、記録再生認証パスワード１３の何れであっても良い。認証パスワードが変更又は削除されていない場合（ＮＯ）は、ステップＳ１１において、認証パスワード変更の有無を判別する判定処理を繰り返す。認証パスワードが変更又は削除されている場合（ＹＥＳ）は、ステップＳ１２に移り、一旦再生専用動作モードを中断する。次に、図４のステップＳ１７で認証パスワードの変更のために、現在設定されているの認証パスワードを確認する。これは、現在の認証パスワードを知っていることを確認することで、この変更が適正なユーザによって行われていることを判定するためである。図１２には、パスワード変更時のパスワード入力データ構成例を示す。動作モード設定ビット２１１は、どの動作モードに対する変更であるかを示す。動作モード設定ビット２１１は、コマンドで識別するようにすれば、省略も可能である。現在のパスワード２１２は適正なユーザの確認用であり、変更用パスワード２１４は更新データである。また、認証パスワードを削除する場合には、パスワード有効／削除ビット２１３によって示すことができる。ステップＳ１７においてパスワードが現在の認証パスワードと一致した場合（ＹＥＳ）には、ステップＳ１８において当該動作モードの認証パスワードを変更する。ここでは、認証パスワードの変更には削除すること（つまり当該動作モードにパスワードが設定されていない状態）も含まれる。ステップＳ１７においてパスワードが現在の認証パスワードと一致しなかった場合（ＮＯ）には、ステップＳ１９でエラーを報告する。そして、次に、ステップＳ１に戻って認証パスワードが設定されているか否かを判別し、ステップＳ１以降の処理を繰り返す。
【００３３】
また、ステップＳ８でハードディスクドライブ装置１に記録専用動作モードの設定が行なわれると、当該動作モードの実行中にステップＳ１３に移り、コントローラ５０は認証パスワード変更の有無を判別する。ここで変更される認証パスワードは、再生専用認証パスワード１１、記録専用認証パスワード１２、記録再生認証パスワード１３の何れであっても良い。認証パスワードが変更又は削除されていない場合（ＮＯ）は、ステップＳ１３において、認証パスワード変更の有無を判別する判定処理を繰り返す。認証パスワードが変更又は削除されている場合（ＹＥＳ）は、ステップＳ１４に移り、一旦記録専用動作モードを中断する。次に、図４のステップＳ１７乃至ステップＳ１９のステップを実施する。そして、次に、ステップＳ１に戻って認証パスワードが設定されているか否かを判別し、ステップＳ１以降の処理を繰り返す。
【００３４】
さらに、ステップＳ９でハードディスクドライブ装置１に記録再生動作モードの設定が行なわれると、当該動作モードの実行中にステップＳ１５に移り、コントローラ５０は認証パスワード変更の有無を判別する。ここで変更される認証パスワードは、再生専用認証パスワード１１、記録専用認証パスワード１２、記録再生認証パスワード１３の何れであっても良い。認証パスワードが変更又は削除されていない場合（ＮＯ）は、ステップＳ１５において、認証パスワード変更の有無を判別する判定処理を繰り返す。認証パスワードが変更又は削除されている場合（ＹＥＳ）は、ステップＳ１６に移り、一旦記録再生動作モードを中断する。次に、図４のステップＳ１７乃至ステップＳ１９のステップを実施する。そして、次に、ステップＳ１に戻って認証パスワードが設定されているか否かを判別し、ステップＳ１以降の処理を繰り返す。
【００３５】
このように構成される本実施の形態では、ハードディスクドライブ装置１の複数の動作モードのうち一つの動作モードを実行した後に、認証パスワード１１〜１３をユーザの必要性に応じて適宜に変更することができ、例えばハードディスクドライブ装置１のメンテナンス時の作業性等を高めることができる。
【００３６】
次に、図５および図６は本発明の第３の実施の形態を示している。なお、本実施の形態では、前記第１の実施の形態と同一のステップには同一の符号を付し、その説明を省略するものとする。
【００３７】
本実施の形態では、ハードディスクドライブ装置１の電源をオンまたはリセットした場合には、図５および図６に示すフローチャートのような動作が行われる。
【００３８】
即ち、ステップＳ１において、認証パスワード記憶部１０に認証パスワード１１〜１３の何れもが設定されていない場合（ＮＯ）は、ステップＳ３８に移り、認証パスワード１１〜１３の少なくとも１つの設定処理を実施する。このステップは、ハードディスクドライブ装置１の使用に際して、認証パスワードを必須とする場合の例である。そして、次に、ステップＳ２に移ってパスワードの入力待ちとなり、ステップＳ２以降の認証処理を行なう。また、ステップＳ６においてパスワードが記録再生認証パスワード１３と一致するか否かを判別し、一致しない場合はステップＳ１に戻って認証パスワード１１〜１３の設定があるか否かの処理を行なう。或いは、図示しないが、一致しない場合はステップＳ２に戻って認証パスワードの入力待ちとするフローとしてもよい。
【００３９】
一方、ステップＳ７でハードディスクドライブ装置１に再生専用動作モードの設定が行なわれると、当該モードで動作すると共にステップＳ２０に移る。
【００４０】
また、ステップＳ８でハードディスクドライブ装置１に記録専用動作モードの設定が行なわれると、当該モードで動作すると共にステップＳ２０に移る。
【００４１】
さらに、ステップＳ９でハードディスクドライブ装置１に記録再生動作モードの設定が行なわれると、当該モードで動作すると共にステップＳ２０に移る。
【００４２】
そして、ステップＳ２０において、新たなパスワードが入力されていない場合（ＮＯ）は、ステップＳ２０において新たなパスワードが入力されたか否かを判別する処理を繰り返す。新たなパスワードが入力されている場合（ＹＥＳ）は、ステップＳ２１に移る。ここで入力される新たなパスワードは、再生専用認証パスワード１１、記録専用認証パスワード１２、記録再生認証パスワード１３の何れに対応するものであっても良い。ステップＳ２１では、ステップＳ７〜Ｓ９で行なった各動作モードを一旦中断する。そして、次に、ステップＳ４に移り、パスワード認証部２０により新たなパスワードが再生専用認証パスワード１１と一致しているか否かを判別する。
【００４３】
新たなパスワードが再生専用認証パスワード１１と一致している場合（ＹＥＳ）は、ステップＳ７に戻り、ハードディスクドライブ装置１に再度、再生専用動作モードの設定が行なわれ、当該モードで動作すると共に、ステップＳ７以降の認証処理を繰り返す。パスワードが再生専用認証パスワード１１と一致していない場合（ＮＯ）は、ステップＳ５に移り、新たなパスワードが記録専用認証パスワード１２と一致しているか否かを判別する。
【００４４】
新たなパスワードが記録専用認証パスワード１２と一致している場合（ＹＥＳ）は、ステップＳ８に戻り、ハードディスクドライブ装置１に再度、記録専用動作モードの設定が行なわれ、当該動作モードで動作すると共に、ステップＳ８以降の認証処理を繰り返す。新たなパスワードが記録専用認証パスワード１１と一致していない場合（ＮＯ）は、ステップＳ６に移り、新たなパスワードが記録再生認証パスワード１３と一致しているか否かを判別する。
【００４５】
新たなパスワードが記録再生認証パスワード１３と一致している場合（ＹＥＳ）は、ステップＳ９に戻り、ハードディスクドライブ装置１に再度、記録再生動作モードの設定が行なわれ、当該動作モードで動作すると共に、ステップＳ９以降の認証処理を繰り返す。新たなパスワードが記録再生認証パスワード１３と一致していない場合（ＮＯ）は、ステップＳ１に戻り、認証処理を繰り返す。
【００４６】
本発明の第３の実施の形態の別の構成は、図５及び図７で示され、ハードディスクドライブ装置１の電源をオンまたはリセットした場合に図示されたフローチャートのような動作が行われる。
【００４７】
即ち、ステップＳ１〜Ｓ９及びステップＳ３８の処理が実施され、ステップＳ２０に移る。
【００４８】
そして、ステップＳ２０において、新たなパスワードが入力されていない場合（ＮＯ）は、ステップＳ２０において新たなパスワードが入力されたか否かを判別する処理を繰り返す。新たなパスワードが入力されている場合（ＹＥＳ）は、ステップＳ２２に移る。ここで入力される新たなパスワードは、再生専用認証パスワード１１、記録専用認証パスワード１２、記録再生認証パスワード１３の何れに対応するものであっても良い。ステップＳ２２では、パスワード認証部２０により新たなパスワードが再生専用認証パスワード１１と一致しているか否かを判別する。
【００４９】
新たなパスワードが再生専用認証パスワード１１と一致している場合（ＹＥＳ）は、ステップＳ７に戻り、ハードディスクドライブ装置１に再度、再生専用動作モードの設定が行なわれ、当該モードで動作すると共に、ステップＳ７以降の認証処理を繰り返す。パスワードが再生専用認証パスワード１１と一致していない場合（ＮＯ）は、ステップＳ２３に移り、新たなパスワードが記録専用認証パスワード１２と一致しているか否かを判別する。
【００５０】
新たなパスワードが記録専用認証パスワード１２と一致している場合（ＹＥＳ）は、ステップＳ８に戻り、ハードディスクドライブ装置１に再度、記録専用動作モードの設定が行なわれ、当該動作モードで動作すると共に、ステップＳ８以降の認証処理を繰り返す。新たなパスワードが記録専用認証パスワード１２と一致していない場合（ＮＯ）は、ステップＳ２４に移り、新たなパスワードが記録再生認証パスワード１３と一致しているか否かを判別する。
【００５１】
新たなパスワードが記録再生認証パスワード１３と一致している場合（ＹＥＳ）は、ステップＳ９に戻り、ハードディスクドライブ装置１に再度、記録再生動作モードの設定が行なわれ、当該動作モードで動作すると共に、ステップＳ９以降の認証処理を繰り返す。パスワードが記録再生認証パスワード１３と一致していない場合（ＮＯ）は、動作中の動作モードは変更されずに現状の動作モードが維持され、ステップＳ２０に戻り、新たなパスワードが入力されたか否かを判別する処理を繰り返す。
【００５２】
このように構成される本実施の形態によれば、ハードディスクドライブ装置１の複数の動作モードのうち一つの動作モードを設定した後に、他の動作モードに対応したパスワードを入力するだけで、他の動作モードに移行することができ、ハードディスクドライブ装置１のメンテナンス時等の作業性を高めることができる。また、動作モード移行時の動作モード中断は、あってもなくても何れの形態でも実現できる。動作モード移行時に動作モード中断する場合は、正しいパスワードを知って操作することが重要になる。もし、正しいパスワードを知らずに変更を試みた場合に、再び動作モードに入ることが困難になる。
【００５３】
次に、図５および図８は本発明の第４の実施の形態を示している。なお、本実施の形態では、前記第２の実施の形態及び前記第３の実施の形態と同一のステップには同一の符号を付し、その説明を省略するものとする。
【００５４】
本実施の形態では、ハードディスクドライブ装置１の電源をオンまたはリセットした場合には、図５および図８に示すフローチャートのような動作が行われる。
【００５５】
即ち、ステップＳ１において、認証パスワード記憶部１０に認証パスワード１１〜１３の何れもが設定されていない場合（ＮＯ）は、ステップＳ３８に移り、認証パスワード１１〜１３の少なくとも１つの設定を実施する。そして、次に、ステップＳ２に移ってパスワードの入力待ちとなり、ステップＳ２以降の認証処理を行なう。
【００５６】
ステップＳ７〜ステップＳ９において、それぞれ動作モードの設定が行われる。つまり、ステップＳ７でハードディスクドライブ装置１に再生専用動作モードの設定が行なわれたときには、当該モードで動作すると共にステップＳ１１５に移り、あるいは、ステップＳ８でハードディスクドライブ装置１に記録専用動作モードの設定が行なわれたときには、当該モードで動作すると共にステップＳ１１５に移り、あるいは、ステップＳ９でハードディスクドライブ装置１に記録再生動作モードの設定が行なわれたときには、当該モードで動作すると共にステップＳ１１５に移る。
【００５７】
そして、ステップＳ１１５では、コントローラ５０で認証パスワードが変更又は削除されるか否かを判別する。認証パスワードが変更又は削除されない場合（ＮＯ）は、ステップＳ１２０に移る。認証パスワードが変更又は削除される場合（ＹＥＳ）は、ステップＳ１１７に移り、認証パスワードの変更のために、現在設定されているの認証パスワードを確認する。これは、現在の認証パスワードを知っていることを確認することで、この変更が適正なユーザによって行われていることを判定するためである。ステップＳ１１７においてパスワードが現在の認証パスワードと一致しなかった場合（ＮＯ）には、ステップＳ１１９でエラーを報告し、ステップＳ１１５に戻って、ステップＳ１１５以降の処理を繰り返し、また、ステップＳ１１７においてパスワードが現在の認証パスワードと一致した場合（ＹＥＳ）には、ステップＳ１１８において当該動作モードの認証パスワードを変更し、ステップＳ１２０に移る。ここで変更される認証パスワードは、再生専用認証パスワード１１、記録専用認証パスワード１２、記録再生認証パスワード１３の何れであっても良い。また、ここで変更された認証パスワードは、次回の電源をオンまたはリセット以降での照合に使用される。さらに、この例では、認証パスワードの変更には削除すること（つまり当該動作モードにパスワードが一つも設定されていない状態）は含まれない。
【００５８】
ここで、パスワード変更時のパスワード入力データの構成例を図１２に示す。動作モード設定ビット２１１は、どの動作モードに対する変更であるかを示す。現在のパスワード２１２は適正なユーザの確認用であり、変更用パスワード２１４は更新データである。また、ここではパスワード有効／削除ビット２１３は常に有効にするか、省略する。
【００５９】
ステップＳ１２０では、新たなパスワードが入力されたか否かを判別する。新たなパスワードが入力されていない場合（ＮＯ）は、ステップＳ１１５に戻り、パスワードが変更されるか否かを判別する認証処理を繰り返す。ステップＳ１２０で新たなパスワードが入力されている場合（ＹＥＳ）は、ステップＳ１２１に移る。ここで入力される動作モード遷移のための新たにパスワードは、再生専用認証パスワード１１、記録専用認証パスワード１２、記録再生認証パスワード１３の何れに対応するものであっても良い。パスワード認証部２０により新たなパスワードが再生専用認証パスワード１１と一致しているか否かを判別する。
【００６０】
ステップＳ１２１で、新たなパスワードが再生専用認証パスワード１１と一致している場合（ＹＥＳ）は、ステップＳ７に戻り、ハードディスクドライブ装置１に新たに再生専用動作モードの設定が行なわれ、当該モードで動作すると共に、ステップＳ７以降の認証処理を繰り返す。パスワードが再生専用認証パスワード１１と一致していない場合（ＮＯ）は、ステップＳ１２２に移り、新たなパスワードが記録専用認証パスワード１２と一致しているか否かを判別する。
【００６１】
ステップＳ１２２で、新たなパスワードが記録専用認証パスワード１２と一致している場合（ＹＥＳ）は、ステップＳ８に戻り、ハードディスクドライブ装置１に新たに記録専用動作モードの設定が行なわれ、当該動作モードで動作すると共に、ステップＳ８以降の認証処理を繰り返す。新たなパスワードが記録専用認証パスワード１２と一致していない場合（ＮＯ）は、ステップＳ１２３に移り、新たなパスワードが記録再生認証パスワード１３と一致しているか否かを判別する。
【００６２】
ステップＳ１２３で、新たなパスワードが記録再生認証パスワード１３と一致している場合（ＹＥＳ）は、ステップＳ９に戻り、ハードディスク装置１に新たに記録再生動作モードの設定が行なわれ、当該動作モードで動作すると共に、ステップＳ９以降の認証処理を繰り返す。パスワードが記録再生認証パスワード１３と一致していない場合（ＮＯ）は、ステップＳ１１９でエラーを報告し、ステップＳ１１５に戻り、ステップＳ１１５においてパスワードが入力されたか否かを判別する認証処理を繰り返す。
【００６３】
このように構成される本実施の形態によれば、ハードディスクドライブ装置１の複数の動作モードのうち一つの動作モードを実行した後に、認証パスワード１１〜１３をユーザの必要性に応じて適宜に変更することができ、またハードディスクドライブ装置１の複数の動作モードのうち一つの動作モードを設定した後に、他の動作モードに対応したパスワードを入力するだけで、他の動作モードに移行することができるため、ハードディスクドライブ装置１のメンテナンス時等の作業性をさらに高めることができる。
【００６４】
次に、図９は本発明の第５の実施の形態を示している。なお、本実施の形態では、第１の実施の形態及び第３の実施の形態と同一のステップには同一の符号を付し、その説明を省略するものとする。
【００６５】
本実施の形態では、ハードディスクドライブ装置１の電源をオンまたはリセットした場合には、図９に示すフローチャートのような動作が行われる。
【００６６】
即ち、ステップＳ１において、認証パスワードの設定の有無を判定し、ステップＳ３８、ステップＳ２以降の認証処理を行なう。そして、ステップＳ７でハードディスクドライブ装置１の再生専用動作モードが設定されるか、ステップＳ８でハードディスクドライブ装置１の記録専用動作モードが設定されるか、ステップＳ９でハードディスクドライブ装置１の記録再生動作モードが設定されるかの何れかの設定がされる。
【００６７】
ステップＳ７でハードディスクドライブ装置１の再生専用動作モードが設定された場合には、ハードディスクドライブ装置１が当該動作モードで動作すると共に、ステップＳ４０に移り、コントローラ５０は再生専用認証パスワード１１が変更されるか否かを判別する。再生専用認証パスワード１１が変更されない場合（ＮＯ）は、ステップＳ４０において、再生専用認証パスワード１１が変更されるか否かを判別する認証処理を繰り返す。再生専用認証パスワード１１以外の変更の場合もこれ（ＮＯ）に該当する。一方、再生専用認証パスワード１１が変更される場合（ＹＥＳ）は、ステップＳ６２に移る。
【００６８】
次に、ステップＳ６２では、再生専用認証パスワード１１の変更のために、現在設定されている再生専用認証パスワード１１と一致するか否かを判別する。これは、現在の認証パスワードを知っていることを確認することで、この変更が適切なユーザによって行われていることを判定するためである。パスワード変更時のパスワード入力データ構成は、図１２に示す例でも良い。図１２の構成から動作モード設定ビット２１１、パスワード有効／削除ビット２１３を省略することができる。動作中の動作モードに対する認証パスワードの変更であるので、対象が明確であり、この実施例では、認証パスワードは削除しないためである。ステップＳ６２において入力されたパスワードが現在の再生専用認証パスワード１１と一致している場合（ＹＥＳ）は、ステップＳ６３において、当該動作モードで動作したまま再生専用動作モードの再生専用認証パスワード１１を変更し、ステップＳ４０に戻って再生専用認証パスワードが変更されるか否かの判別処理を実行する。ここで変更された再生専用認証パスワード１１は、次回の電源をオンまたはリセット以降での照合に使用される。Ｓ６２において入力されたパスワードが現在の再生専用認証パスワード１１と一致していない場合（ＮＯ）には、ステップＳ６４において当該動作モードで動作したままでエラーを報告し、ステップＳ４０に戻って再生専用認証パスワードが変更されるか否かの判別処理を実行する。
【００６９】
また、ステップＳ８でハードディスクドライブ装置１の記録専用動作モードが設定された場合には、ハードディスクドライブ装置１が当該動作モードで動作すると共に、ステップＳ４４に移り、コントローラ５０は記録専用認証パスワード１２が変更されるか否かを判別する。記録専用認証パスワード１２が変更されない場合（ＮＯ）は、ステップＳ４４において、記録専用認証パスワード１２が変更されるか否かを判別する処理を繰り返す。記録専用認証パスワード１２以外の変更の場合もこれ（ＮＯ）に該当する。一方、記録専用認証パスワード１２が変更される場合（ＹＥＳ）は、ステップＳ７２に移る。
【００７０】
次に、ステップＳ７２では、記録専用認証パスワード１２の変更のために、現在設定されている記録専用認証パスワード１２と一致するか否かを判別する。これは、現在の認証パスワードを知っていることを確認することで、この変更が適切なユーザによって行われていることを判定するためである。パスワード変更時のパスワード入力データ構成は、ステップＳ６２と同様である。ステップＳ７２において入力されたパスワードが現在の記録専用認証パスワード１２と一致している場合（ＹＥＳ）は、ステップＳ７３において、当該動作モードで動作したまま記録専用動作モードの記録専用認証パスワード１２を変更し、ステップＳ４４に戻って記録専用認証パスワードが変更されるか否かの判別処理を実行する。ここで変更された記録専用認証パスワード１２は、次回の電源をオンまたはリセット以降での照合に使用される。Ｓ７２において入力されたパスワードが現在の記録専用認証パスワード１２と一致していない場合（ＮＯ）には、ステップＳ７４において当該動作モードで動作したままでエラーを報告し、ステップＳ４４に戻って記録専用認証パスワードが変更されるか否かの判別処理を実行する。
【００７１】
さらに、ステップＳ９でハードディスクドライブ装置１の記録再生動作モードが設定された場合には、ハードディスクドライブ装置１が当該動作モードで動作すると共に、ステップＳ４８に移り、コントローラ５０は記録再生認証パスワード１３が変更されるか否かを判別する。記録再生認証パスワード１３が変更されない場合（ＮＯ）は、ステップＳ４８において、記録再生認証パスワード１３が変更されるか否かを判別する処理を繰り返す。記録再生認証パスワード１３以外の変更の場合もこれ（ＮＯ）に該当する。一方、記録再生認証パスワード１３が変更される場合（ＹＥＳ）は、ステップＳ８２に移る。
【００７２】
次に、ステップＳ８２では、記録再生認証パスワード１３の変更のために、現在設定されている記録再生認証パスワード１３と一致するか否かを判別する。これは、現在の認証パスワードを知っていることを確認することで、この変更が適切なユーザによって行われていることを判定するためである。パスワード変更時のパスワード入力データ構成は、ステップＳ６２と同様である。ステップＳ８２において入力されたパスワードが現在の記録再生認証パスワード１３と一致している場合（ＹＥＳ）は、ステップＳ８３において、当該動作モードで動作したまま記録専用動作モードの記録再生認証パスワード１３を変更し、ステップＳ４８に戻って記録再生認証パスワードが変更されたか否かの判別処理を実行する。ここで変更された記録再生認証パスワード１３は、次回の電源をオンまたはリセット以降での照合に使用される。ステップＳ８２において入力されたパスワードが現在の記録再生認証パスワード１３と一致していない場合（ＮＯ）には、ステップＳ８４において当該動作モードで動作したままでエラーを報告し、ステップＳ４８に戻って記録専用認証パスワードが変更されるか否かの判別処理を実行する。
【００７３】
このように構成される本実施の形態によれば、ハードディスクドライブ装置１の複数の動作モードのうち一つの動作モードの設定を行なった後に、この動作モードに対応したパスワードのみを変更することができ、つまり、当該動作モード以外のパスワードを変更することができないので、ハードディスクドライブ装置１のメンテナンス時等の作業性を高めることができると共に、パスワードを適切に保護できる。
【００７４】
次に、図１０は本発明の第５の実施の形態の別の構成例を示している。なお、本実施の形態では、第５の実施の形態と同一のステップには同一の符号を付し、その説明を省略するものとする。
【００７５】
本実施の形態では、ハードディスクドライブ装置１の電源をオンまたはリセットした場合には、図１０に示すフローチャートのような動作が行われる。
【００７６】
即ち、ステップＳ１において認証パスワードの設定の有無を判定し、ステップＳ３８、ステップＳ２の認証処理を行う。そして、ステップＳ３で認証パスワードが入力され、ステップＳ４以降の認証処理を行う。
【００７７】
ステップＳ４において、パスワード認証部２０によりパスワードが認証パスワード記憶部１０の再生専用認証パスワード１１と一致しているか否かを判別する。パスワードが再生専用認証パスワードと一致していない場合（ＮＯ）には、ステップＳ５に移り、パスワードが再生専用認証パスワードと一致している場合（ＹＥＳ）は、ステップＳ４０に移る。ステップＳ４０では、再生専用認証パスワード１１が変更されるか否かを判別する。再生専用認証パスワード１１が変更される場合（ＹＥＳ）には、ステップＳ６３に移る。ステップＳ６３では、再生専用動作モードの再生専用認証パスワード１１を変更し、ステップＳ７に移る。ここで変更された再生専用認証パスワード１１は、次回の電源をオンまたはリセット以降での照合に使用される。また、ステップＳ４０で、再生専用認証パスワード１１が変更されない場合（ＮＯ）にも、ステップＳ７に移る。ステップＳ７において、ハードディスクドライブ装置１に再生専用動作モードの設定が行われ、当該モードで動作すると共に認証処理が終了する。
【００７８】
次に、ステップＳ５において、パスワード認証部２０によりパスワードが認証パスワード記憶部１０の記録専用認証パスワード１２と一致しているか否かを判別する。パスワードが記録専用認証パスワードと一致していない場合（ＮＯ）には、ステップＳ６に移り、パスワードが記録専用認証パスワードと一致している場合（ＹＥＳ）は、ステップＳ４４に移る。ステップＳ４４では、記録専用認証パスワード１２が変更されるか否かを判別する。記録専用認証パスワード１２が変更される場合（ＹＥＳ）には、ステップＳ７３に移る。ステップＳ７３では、記録専用動作モードの記録専用認証パスワード１２を変更し、ステップＳ８に移る。ここで変更された記録専用認証パスワード１２は、次回の電源をオンまたはリセット以降での照合に使用される。また、ステップＳ４４で、記録専用認証パスワード１１が変更されない場合（ＮＯ）にも、ステップＳ８に移る。ステップＳ８において、ハードディスクドライブ装置１に記録専用動作モードの設定が行われ、当該モードで動作すると共に認証処理が終了する。
【００７９】
次に、ステップＳ６において、パスワード認証部２０によりパスワードが認証パスワード記憶部１０の記録再生認証パスワード１３と一致しているか否かを判別する。パスワードが記録再生認証パスワードと一致していない場合（ＮＯ）には、ステップＳ１に戻り、ステップＳ１の処理を繰り返し、パスワードが記録再生認証パスワードと一致している場合（ＹＥＳ）は、ステップＳ４８に移る。ステップＳ４８では、記録再生認証パスワード１３が変更されるか否かを判別する。記録再生認証パスワード１３が変更される場合（ＹＥＳ）には、ステップＳ８３に移る。ステップＳ８３では、記録再生動作モードの記録再生認証パスワード１３を変更し、ステップＳ９に移る。ここで変更された記録再生認証パスワード１３は、次回の電源をオンまたはリセット以降での照合に使用される。また、ステップＳ４８で、記録再生認証パスワード１１が変更されない場合（ＮＯ）にも、ステップＳ９に移る。ステップＳ９において、ハードディスクドライブ装置１に記録再生動作モードの設定が行われ、当該モードで動作すると共に認証処理が終了する。
【００８０】
このように構成される本実施の形態によれば、ハードディスクドライブ装置１の複数の動作モードのうち一つの動作モードに対応した認証パスワードの照合に成功した直後にのみ当該認証パスワードを変更することが可能なので、認証パスワードが不正に変更される可能性を減らすことができる。また、現在の認証パスワードとの照合処理（ステップＳ１７、Ｓ６２、Ｓ７２、Ｓ８２、Ｓ１１７）が不要になり、処理が簡素化される。
【００８１】
図１１は本発明の情報記憶装置に係る実施の形態を示している。本実施の形態について図１１の構成を参照しながら詳細に説明する。なお、本実施の形態では、前記第１の実施の形態と同一の機能には同一の符号を付し、その説明を省略するものとする。
【００８２】
本実施の形態に係る情報記憶装置１０１は、図１１に示すように、情報の記憶媒体である情報記憶デバイス１０２、制御デバイス４１、ホストコンピュータ１００との情報の入出力を行うためにホストコンピュータ１００と接続するためのインターフェイス４０及び認証記憶部である認証パスワード記憶部１０等を含んで構成される。また、制御デバイス４１は、認証部であるパスワード認証部２０、動作モード制御部３０及びコントローラ５１を含んで構成され、情報記憶デバイス１０２に対して行う読み出し、書き込みの動作モード（再生専用動作モード、記録専用動作モード、記録再生動作モード）を制御するものである。
【００８３】
情報記憶デバイス１０２及び認証パスワード記憶部１０は、例えばフラッシュメモリからなる。このフラッシュメモリには、ユーザのデータや再生専用動作モードに対応して与えられた再生専用認証パスワード１１、記録専用動作モードに対応して与えられた記録専用認証パスワード１２及び記録再生動作モードに対応して与えられた記録再生認証パスワード１３がそれぞれ記憶されている。なお、記録専用認証パスワード１１、再生専用認証パスワード１２、記録再生認証パスワード１３（以下、まとめて認証パスワード１１〜１３という）は、特許請求の範囲にいう認証情報である。認証パスワード記憶部１０に認証パスワード１１〜１３を記憶させるためには、認証パスワード１１〜１３設定用コマンドを準備し、実行することで可能である。また、認証パスワード記憶部１０や制御デバイス４１は、認証パスワードの不正なアクセスや改ざんを防止するために、耐タンパな構成とするのが望ましい。
【００８４】
パスワード認証部２０は、認証パスワード記憶部１０から認証パスワード１１〜１３を読み出し、各認証パスワード１１〜１３のいずれか一つがホストコンピュータ１００からインターフェイス４０及び動作モード制御部３０を経由して入力される入力情報であるパスワードと一致するか否かを確認するものである。
【００８５】
動作モード制御部３０は、再生専用認証パスワード１１、記録専用認証パスワード１２または記録再生認証パスワード１３とパスワードとが一致したときにパスワード認証部２０から入力される認証信号に対応した動作モード信号（再生専用動作モード信号、記録専用動作モード信号、記録再生動作モード信号）を出力するものである。
【００８６】
コントローラ５１は、シーケンサやマイクロコンピュータ等からなり、ホストコンピュータ１００からの情報のアクセス要求に対して情報記憶デバイス１０２内に記憶された情報をへのアクセスの制御において、動作モード制御部３０から入力される動作モード信号に対応した各動作モード（再生専用動作モード、記録専用動作モード、記録再生動作モード）の実行等を適切に制御するものである。
【００８７】
本実施の形態の情報記憶装置１０１の動作については、前述のハードディスクドライブ装置例にした種々の実施の形態と同様なフローチャートにより、その機能、動作を実現できる。
【００８８】
従って、本実施の形態によれば、メモリーデバイスのような情報記憶装置１０１に対してもユーザに応じて複数の動作モード（再生専用動作モード、記録専用動作モード、記録再生動作モード）の実行をユーザに与えられたパスワードによって制限することができる。
【００８９】
なお、各本実施の形態では、認証パスワード記憶部である認証記憶部をフラッシュメモリで構成する場合を例に挙げて説明したが、本発明はこれに限らず、例えば認証記憶部を記録媒体である磁気ディスクによって構成してもよい。また、認証パスワードについては、ユーザのバイオメトリクス情報から生成されるようなユーザ固有となる情報としてもよい。さらに、本発明の実施の形態として詳述した他にも、本発明の主旨を逸脱しない範囲で種々の変更を加えてもよい。例えば、説明したフローチャートの構成について、種々の変更が可能であり、認証パスワードの照合をするステップＳ４、ステップＳ５、ステップＳ６の順番を変更すること、本発明の第３実施の形態と本発明の第５実施の形態を組み合せること、本発明の第４実施の形態と本発明の第５実施の形態の別の構成を組み合せること、等がある。また、認証パスワードの照合をするステップＳ４、ステップＳ５、ステップＳ６での内部処理として、図１２に倣って、認証パスワードの照合の際にも動作モード設定ビット２１１を使用して判定し、動作モード状態と該動作モード設定ビット２１１の内容が一致したものに対して実施の認証パスワードの照合を実施するようにしても良い。
【図面の簡単な説明】
【００９０】
【図１】本発明の第１の実施の形態に係るハードディスクドライブ装置を示すブロック図である。
【図２】本発明の第１の実施の形態に係るハードディスクドライブ装置の動作を示すフローチャートである。
【図３】本発明の第２の実施の形態に係るハードディスクドライブ装置の動作の一部を示す第１のフローチャートである。
【図４】本発明の第２の実施の形態に係るハードディスクドライブ装置の動作の一部を示す第２のフローチャートである。
【図５】本発明の第３の実施の形態及び第４の実施の形態に係るハードディスクドライブ装置の動作の一部を示す第１のフローチャートである。
【図６】本発明の第３の実施の形態に係る磁気ディスクの動作の一部を示す第２のフローチャートである。
【図７】本発明の第３の実施の形態の別の構成に係る磁気ディスクの動作の一部を示す第３のフローチャートである。
【図８】本発明の第４の実施の形態に係るハードディスクドライブ装置の動作の一部を示す第２のフローチャートである。
【図９】本発明の第５の実施の形態に係るハードディスクドライブ装置の動作を示すフローチャートである。
【図１０】本発明の第５の実施の形態の別の構成に係るハードディスクドライブ装置の動作を示すフローチャートである。
【図１１】本発明の情報記憶装置の実施の形態に係る情報記憶装置を示すブロック図である。
【図１２】本発明の実施の形態に係る認証パスワード変更時のパスワード入力データ構成の例を示す図である。
【符号の説明】
【００９１】
１  ハードディスクドライブ装置（ディスク装置）、２  磁気ディスク（記録媒体）、３  ヘッドアセンブリ、４  制御デバイス、１０  認証パスワード記憶部（認証記憶部）、１１  再生専用認証パスワード（認証情報）、１２  記録専用認証パスワード（認証情報）、１３  記録再生認証パスワード（認証情報）、２０  パスワード認証部（認証部）、３０  動作モード制御部、５０  コントローラ。
【図１】
2007184044.tif 000003
【図２】
2007184044.tif 000004
【図３】
2007184044.tif 000005
【図４】
2007184044.tif 000006
【図５】
2007184044.tif 000007
【図６】
2007184044.tif 000008
【図７】
2007184044.tif 000009
【図８】
2007184044.tif 000010
【図９】
2007184044.tif 000011
【図１０】
2007184044.tif 000012
【図１１】
2007184044.tif 000013
【図１２】
2007184044.tif 000014